(57)【要約】【課題】長尺の帯状に成形された薄板ガラスを長手方向に搬送しながら切断（割断）する際の、薄板ガラスの切断方法、および該薄板ガラスを含むガラス物品の製造方法であって、該薄板ガラスを安定的に切断（割断）することが可能であり、該切断（割断）箇所の品質向上を図ることが可能な、薄板ガラスの切断方法、および該薄板ガラスを含むガラス物品の製造方法を提供することを課題とする。【解決手段】長尺の帯状に成形された薄板ガラス１００を、長手方向に搬送しつつ切断する、薄板ガラス１００の切断方法であって、前記薄板ガラス１００の所定箇所を、前記薄板ガラス１００の搬送方向の下流側が下方に位置する垂直姿勢または傾斜姿勢に保持しつつ搬送し、且つ前記薄板ガラス１００の垂直姿勢または傾斜姿勢に保持した箇所を、レーザー割断装置（切断手段）４１によって前記搬送方向に沿って切断する切断工程を備える。【選択図】図１
2015044713.tif 000002
【特許請求の範囲】
【請求項１】
長尺の帯状に成形された薄板ガラスを、長手方向に搬送しつつ切断する、薄板ガラスの切断方法であって、
前記薄板ガラスの所定箇所を、前記薄板ガラスの搬送方向の下流側が下方に位置する垂直姿勢または傾斜姿勢に保持しつつ搬送し、且つ前記薄板ガラスの垂直姿勢または傾斜姿勢に保持した箇所を、切断手段によって前記搬送方向に沿って切断する切断工程を備える、
ことを特徴とする薄板ガラスの切断方法。
【請求項２】
前記切断工程の直前の工程として、前記薄板ガラスを長手方向に沿って上方に湾曲するアーチ形状に変形および保持しつつ搬送するアーチ工程をさらに備える、
ことを特徴とする、請求項１に記載の薄板ガラスの切断方法。
【請求項３】
前記切断手段は、
前記薄板ガラスの切断予定線上にレーザー光線を照射するとともに、
前記レーザー光線の照射位置よりも前記搬送方向下流側の位置において、前記レーザー光線が照射されて加熱された箇所を冷却することにより前記薄板ガラスの割断を行う、
ことを特徴とする、請求項１または請求項２に記載の薄板ガラスの切断方法。
【請求項４】
前記レーザー光線が照射される箇所から離間した箇所において前記薄板ガラスを支持し、且つ前記レーザー光線が照射される箇所において前記薄板ガラスを支持することなく前記薄板ガラスを搬送および切断する、
ことを特徴とする、請求項３に記載の薄板ガラスの切断方法。
【請求項５】
前記薄板ガラスは、前記切断手段により、前記薄板ガラスの長手方向に沿って直線状に切断され、
前記切断箇所に隣接して、前記薄板ガラスの長手方向に沿って延出するガイド部材を配置し、
前記ガイド部材は、前記薄板ガラスの一方主面側と他方主面側に、前記薄板ガラスを挟んで配置される一対のガイド部材である、
ことを特徴とする、請求項１〜請求項４の何れか一項に記載の薄板ガラスの切断方法。
【請求項６】
前記ガイド部材は、
前記切断箇所における前記薄板ガラスの幅方向中央部側に設けられた第一ガイド部材と、
前記切断箇所における前記薄板ガラスの幅方向側端部側に設けられた第二ガイド部材と、
を備える、
ことを特徴とする、請求項５に記載の薄板ガラスの切断方法。
【請求項７】
前記第一ガイド部材および第二ガイド部材は各々前記薄板ガラスの主面と対向する対向面を有し、
前記第二ガイド部材の対向面は、
前記薄板ガラスを幅方向に断面視した場合に、前記第一ガイド部材の対向面に対して傾斜している、
ことを特徴とする、請求項６に記載の薄板ガラスの切断方法。
【請求項８】
前記第一ガイド部材および第二ガイド部材は、
前記薄板ガラスの搬送方向下流側に向かうにつれて、
互いに前記薄板ガラスの厚み方向へ離間するように配設される、
ことを特徴とする、請求項６または請求項７に記載の薄板ガラスの切断方法。
【請求項９】
請求項１から８の何れか一項に記載の薄板ガラスの切断方法を用いて前記薄板ガラスの幅方向両端部を切断することにより製品となる前記薄板ガラスの中央部を得る工程を備え、
前記薄板ガラスの中央部と端部とを互いに前記薄板ガラスの厚み方向へ離間するように搬送する、
ことを特徴とするガラス物品の製造方法。
【請求項１０】
前記薄板ガラスの中央部を幅方向に切断して薄板ガラス基板を得る工程を備える、
ことを特徴とする請求項９に記載のガラス物品の製造方法。
【請求項１１】
前記薄板ガラスの中央部を巻取ることによりガラスロール体を得る工程を備える、
ことを特徴とする請求項９に記載のガラス物品の製造方法。
【請求項１２】
前記端部を前記薄板ガラスの幅方向に切断して分離し、分離された前記端部を粉砕する、
ことを特徴とする、請求項９〜請求項１１の何れか一項に記載のガラス物品の製造方法。
【発明の詳細な説明】
【技術分野】
【０００１】
本発明は、長尺の帯状に成形された薄板ガラスを長手方向に搬送しながら切断（割断）する際の、薄板ガラスの切断方法、および該薄板ガラスを含むガラス物品の製造方法の技術に関する。
【背景技術】
【０００２】
近年、板ガラスの利用分野は益々広がり、フラットパネルディスプレイやスマートフォンなどの分野においては、厚みの薄い（薄肉の）薄板ガラスの需要が急速に伸びている。
前記薄板ガラスは、例えば、オーバーフロー・ダウンドロー法によって長尺・帯状に成形される。この際、成形された薄板ガラスの幅方向の両側端部には、幅方向中央部に比べて厚肉なビードが形成される。
【０００３】
ところで、従来から、オーバーフロー・ダウンドロー法で成形された板ガラスは、長手方向に搬送されながら、ビードを有した状態のまま幅方向に切断（割断）されて所定寸法の枚葉に切断され、その後、前記ビードを含む両側端部が、前記薄板ガラスの長手方向に切断（割断）されて除去されることにより、均一な厚さのガラス基板に形成される。
ここで、板ガラスの切断（割断）方法としては、従来から、カッターによりガラスにスクライブを形成して割断する方法が知られている。
具体的には、板ガラスのガラス面にカッター刃を押し当ててスクライブ線を形成し、該スクライブ線に沿って折り曲げることにより、板ガラスを切断（割断）している。
【０００４】
しかしながら、水平搬送される板厚の薄い板ガラスに対してカッターによるスクライブ割断法を用いると、カッター刃を板ガラスに押し当てた際に板ガラスが撓むため、スクライブ線を安定して形成しにくくなる。
その結果、スクライブの形成時や折り曲げ時に板ガラスが破損し易くなるという問題があった。
また、板ガラスの板厚が薄いほど、カッター刃を押し当てた際に板ガラスが破損し易くなるため、押し圧を精密に制御する必要があった。
さらに、カッターによるスクライブはガラスに微小クラックが形成され易く、例えば、後工程において薄板ガラスをロール状に巻き取る際には、このような微小クラックが破損の原因となる問題があった。
【０００５】
このような問題点を考慮し、板ガラスの切断（割断）方法として、近年、レーザーによりスクライブを形成する割断方法が注目されている（例えば、「特許文献１」を参照）。
レーザーによりスクライブを形成する割断方法においては、板ガラスにカッター刃を押し当てる必要がないため、カッター刃の押圧力に起因する板ガラスの破損が生じない。
【先行技術文献】
【特許文献】
【０００６】
【特許文献１】特開２０００−３３５９２８号公報
【発明の概要】
【発明が解決しようとする課題】
【０００７】
しかしながら、板ガラスの板厚が薄くなるほど撓みや皺が生じ易くなるため、レーザーを用いた切断方法であっても、板ガラスを良好に切断できない場合があった。
例えば、前述したようにレーザーを用いて板ガラスにスクライブを安定して形成するためには、一般的に、レーザーの焦点に板ガラスの表面が位置するよう板ガラスを搬送する必要がある。しかしながら、板ガラスの板厚が薄くなり、撓み易くなると、ガラス面がレーザーの焦点から外れ易くなる。特に、前記特許文献１のように板ガラスを水平方向に搬送する場合、シート状の薄板ガラスに皺が発生し易くなるため、ガラス面の平面度が低下し、ガラス面がレーザーの焦点から外れ易くなる。即ち、板ガラスにスクライブを安定して形成することが困難となり、切断時に板ガラスが破損し易くなるという問題があった。
また、例えば、スクライブ線と交差するような皺が板ガラスに生じていると、折り割り時にクラックがスクライブ線から外れて皺に沿って進展したり、皺の箇所でクラックの進展が停止したりする場合がある。即ち、板ガラスを所望の位置で安定して切断することが困難となるという問題があった。
【０００８】
本発明は、以上に示した現状の問題点を鑑みてなされたものであり、長尺の帯状に成形された薄板ガラスを長手方向に搬送しながら切断（割断）する際の、薄板ガラスの切断方法、および該薄板ガラスを含むガラス物品の製造方法であって、該薄板ガラスを安定的に切断（割断）することが可能であり、該切断（割断）箇所の品質向上を図ることが可能な、薄板ガラスの切断方法、および該薄板ガラスを含むガラス物品の製造方法を提供することを課題とする。
【課題を解決するための手段】
【０００９】
本発明の解決しようとする課題は以上の如くであり、次にこの課題を解決するための手段を説明する。
【００１０】
即ち、本発明の請求項１に係る薄板ガラスの切断方法は、長尺の帯状に成形された薄板ガラスを、長手方向に搬送しつつ切断する、薄板ガラスの切断方法であって、前記薄板ガラスの所定箇所を、前記薄板ガラスの搬送方向の下流側が下方に位置する垂直姿勢または傾斜姿勢に保持しつつ搬送し、且つ前記薄板ガラスの垂直姿勢または傾斜姿勢に保持した箇所を、切断手段によって前記搬送方向に沿って切断する切断工程を備えることを特徴とする。
【００１１】
また、本発明の請求項２に係る薄板ガラスの切断方法は、前記切断工程の直前の工程として、前記薄板ガラスを長手方向に沿って上方に湾曲するアーチ形状に変形および保持しつつ搬送するアーチ工程をさらに備えることを特徴とする。
【００１２】
また、本発明の請求項３に係る薄板ガラスの切断方法は、前記切断手段は、前記薄板ガラスの切断予定線上にレーザー光線を照射するとともに、前記レーザー光線の照射位置よりも前記搬送方向下流側の位置において、前記レーザー光線が照射されて加熱された箇所を冷却することにより前記薄板ガラスの割断を行うことを特徴とする。
【００１３】
また、本発明の請求項４に係る薄板ガラスの切断方法は、前記レーザー光線が照射される箇所から離間した箇所において前記薄板ガラスを支持し、且つ前記レーザー光線が照射される箇所において前記薄板ガラスを支持することなく前記薄板ガラスを搬送および切断することを特徴とする。
【００１４】
また、本発明の請求項５に係る薄板ガラスの切断方法は、前記薄板ガラスは、前記切断手段により、前記薄板ガラスの長手方向に沿って直線状に切断され、前記切断箇所に隣接して、前記薄板ガラスの長手方向に沿って延出するガイド部材を配置し、前記ガイド部材は、前記薄板ガラスの一方主面側と他方主面側に、前記薄板ガラスを挟んで配置される一対のガイド部材であることを特徴とする。
【００１５】
また、本発明の請求項６に係る薄板ガラスの切断方法は、前記ガイド部材は、前記切断箇所における前記薄板ガラスの幅方向中央部側に設けられた第一ガイド部材と、前記切断箇所における前記薄板ガラスの幅方向側端部側に設けられた第二ガイド部材と、を備えることを特徴とする。
【００１６】
また、本発明の請求項７に係る薄板ガラスの切断方法は、前記第一ガイド部材および第二ガイド部材は各々前記薄板ガラスの主面と対向する対向面を有し、前記第二ガイド部材の対向面は、前記薄板ガラスを幅方向に断面視した場合に、前記第一ガイド部材の対向面に対して傾斜していることを特徴とする。
【００１７】
また、本発明の請求項８に係る薄板ガラスの切断方法は、前記第一ガイド部材および第二ガイド部材は、前記薄板ガラスの搬送方向下流側に向かうにつれて、互いに前記薄板ガラスの厚み方向へ離間するように配設されることを特徴とする。
【００１８】
一方、本発明の請求項９に係る薄板ガラス基板の製造方法は、請求項１から８の何れか一項に記載の薄板ガラスの切断方法を用いて前記薄板ガラスの幅方向両端部を切断することにより製品となる前記薄板ガラスの中央部を得る工程を備え、前記薄板ガラスの中央部と端部とを互いに前記薄板ガラスの厚み方向へ離間するように搬送することを特徴とする。
【００１９】
さらに、本発明の請求項１０に係るガラスロール体の製造方法は、前記薄板ガラスの中央部を幅方向に切断して薄板ガラス基板を得る工程を備えることを特徴とする。
【００２０】
そして、本発明の請求項１１に係る薄板ガラス基板の製造方法は、前記薄板ガラスの中央部を巻取ることによりガラスロール体を得る工程を備えることを特徴とする。
【００２１】
また、本発明の請求項１２に係る薄板ガラス基板の製造方法は、前記端部を前記薄板ガラスの幅方向に切断して分離し、分離された前記端部を粉砕することを特徴とする。
【発明の効果】
【００２２】
本発明の効果として、以下に示すような効果を奏する。
【００２３】
即ち、本発明の請求項１における薄板ガラスの切断方法によれば、薄板ガラスを水平状態に支持する場合に見られるような、自重による撓みや皺などが、前記薄板ガラスの平面部に発生することを防止し、薄板ガラスの切断箇所の品質向上を図ることができる。
【００２４】
また、本発明の請求項２における薄板ガラスの切断方法によれば、搬送途中の薄板ガラスのガラス面に、撓みや皺などが発生していたとしても、アーチ形状に変形することにより、前記薄板ガラスの撓みや皺の発生を抑制しつつ、アーチ工程の下流側では前記薄板ガラスのガラス面を平坦な状態にすることができる。
また、上流へ向けて切断線が延びる不良が発生した場合であっても、アーチ部において幅方向に延びる応力分布帯が形成されるため、切断線の延長方向が応力分布に沿うよう端部へと誘導される。したがって、切断不良がアーチ部において食い止められ、アーチ部より上流へ切断不良の被害が拡大することを防ぐことができる。
【００２５】
また、本発明の請求項３における薄板ガラスの切断方法によれば、薄板ガラスの切断手段による切断が行われる箇所は、搬送方向下流側が下方に位置するとともに、レーザー光線が照射されて加熱された切断箇所の冷却を、レーザー光線の照射位置よりも搬送方向下流側の位置で行うため、薄板ガラスを水平状態に支持した場合のように、切断箇所を冷却する冷媒（例えば、水など）が、レーザー光線の照射箇所にまで及んで加熱不良を起こすなどの不具合を防止することができ、薄板ガラスのレーザー割断による切断箇所の品質向上を図ることができる。
【００２６】
また、本発明の請求項４における薄板ガラスの切断方法によれば、切断手段からのレーザー照射部分には、ガラスのみが存在することとなるので、薄板ガラスのレーザー照射側とは反対側の箇所に配置された部材の損傷などに留意せずに、必要な出力にて薄板ガラスに対するレーザー照射を行うことができる。
また、レーザーにより加熱された薄板ガラスの温度が支持部材等により奪われ難くなるため、効率よく薄板ガラスを切断することができる。
【００２７】
また、本発明の請求項５における薄板ガラスの切断方法によれば、例えば、搬送時において、薄板ガラスに与えられる振動などが切断箇所に与える影響を極力低減することが可能となり、薄板ガラスの切断箇所の品質向上を図ることができる。
【００２８】
また、本発明の請求項６における薄板ガラスの切断方法によれば、例えば、搬送時において、薄板ガラスに与えられる振動などが切断箇所に与える影響をより低減することが可能となり、薄板ガラスの切断箇所のさらなる品質向上を図ることができる。
【００２９】
また、本発明の請求項７における薄板ガラスの切断方法によれば、搬送される薄板ガラスの切断箇所に対して、第二ガイド部材によって適当な応力が付加されることとなり、レーザー割断を行う際の、亀裂の進行を容易にすることができる。
【００３０】
また、本発明の請求項８における薄板ガラスの切断方法によれば、レーザー割断後の切断端部同士が接触することを防止でき、薄板ガラスの切断箇所の品質向上を図ることができる。
【００３１】
一方、本発明の請求項９におけるガラス物品の製造方法によれば、レーザー割断直後のガラス物品（例えば、薄板ガラス）において、切断端部同士の接触を防止することができる。
【００３２】
また、本発明の請求項１０におけるガラス物品の製造方法によれば、水平状態に支持されたガラス物品（例えば、薄板ガラス）に多く見られるような、自重による影響を受けてガラス面に撓みや皺などが発生することも少なく、このような薄板ガラスを所定寸法の枚葉に切断することで、該切断箇所の品質向上を図った薄板ガラス基板を得ることができる。
【００３３】
また、本発明の請求項１１におけるガラス物品の製造方法によれば、水平状態に支持された薄板ガラスに多く見られるような、自重による影響を受けてガラス面に撓みや皺などが発生することも少なく、このような薄板ガラスの両側端部を切断・破棄し、その後、巻取ることにより、該切断箇所の品質向上を図ったガラスロール体を得ることができる。
【００３４】
また、本発明の請求項１２におけるガラス物品の製造方法によれば、薄板ガラスより切断・破棄された両側端部は、直ちに粉砕されるため、例えば、前記両側端部の一時的な保管場所も省スペースですみ、経済的である。
【図面の簡単な説明】
【００３５】
【図１】本発明に係る薄板ガラスの切断方法を具現化する、薄板ガラスの搬送装置の一実施形態であって、その全体的な構成を示した概略側面図。
【図２】同じく、搬送装置の全体的な構成を示した斜視図。
【図３】レーザー割断装置の近傍を示した図であって、（ａ）はその側面図、（ｂ）は（ａ）中の矢印Ｂから見た平面図。
【図４】レーザー割断装置の近傍を示した図であって、図３（ｂ）の矢印Ｃから見た正面図。
【図５】ガイド部材の配置姿勢に関して異なる、別実施形態におけるレーザー割断装置の近傍を示した側面図。
【図６】薄板ガラスの搬送方向への撓みの状態を示した図であって、（ａ）は水平状態に保持された薄板ガラスの撓みの状態を示した側面図、（ｂ）はアーチ状態に保持された薄板ガラスの撓みの状態を示した側面図。
【発明を実施するための形態】
【００３６】
次に、発明の実施の形態を説明する。
【００３７】
［搬送装置１］
先ず、本発明を具現化する搬送装置１の全体構成について、図１、図２、および図６を用いて説明する。
なお、以下の説明においては便宜上、図１、図２、および図６の上下方向を搬送装置１または薄板ガラス１００の上下方向と規定して記述する。
また、図１、図２、および図６においては、矢印Ａの方向を薄板ガラス１００の搬送方向と規定して記述する。
【００３８】
本実施形態における搬送装置１は、例えば０．２［ｍｍ］以下の厚み寸法からなる、長尺の帯状に成形された薄板ガラス１００を、長手方向に沿って連続的に搬送するとともに、該薄板ガラス１００に切断加工（より具体的には、割断加工）を施すための装置である。
搬送装置１は、図１に示すように、薄板ガラス１００の搬送方向（矢印Ａの方向）に沿って順に配置される、下降ゾーン１１、第一カテナリーゾーン１２、第一アーチゾーン１３、第一切断ゾーン１４、第二カテナリーゾーン１５、第二アーチゾーン１６、および第二切断ゾーン１７などにより構成される。
【００３９】
下降ゾーン１１は、薄板ガラス１００が搬送装置１に供給される際の導入路として設けられるゾーンである。
下降ゾーン１１の前記搬送方向の上流側、即ち搬送装置１の上流側且つ上方には、例えば、オーバーフロー・ダウンドロー法に基づく成形装置（図示せず）が配設される。
【００４０】
そして、薄板ガラス１００は、前記成形装置によって帯状に成形されながら鉛直下方へと引き出され、搬送装置１の下降ゾーン１１に供給される。
【００４１】
なお、搬送装置１への薄板ガラス１００の供給については、本実施形態に示されるような、前記成形装置によって成形された直後の薄板ガラス１００を供給する場合に限定されず、例えば、予め巻回された薄板ガラス１００のロール（図示せず）より、該薄板ガラス１００を順次繰り出しながら供給することとしてもよく、その場合には製品を幅方向に分割することができる。
【００４２】
ところで、オーバーフロー・ダウンドロー法によって成形された薄板ガラス１００の幅方向（搬送方向と直交する方向）の両側端部には、幅方向中央部に比べて肉厚なビードが形成される。
ここで、薄板ガラス１００の中央部は、厚み寸法が０．２ｍｍ以下と極めて薄いため、肉厚差の大きな両側端部のビードまで横断するように、幅方向に一直線状のスクライブ線（割断線）を安定して形成することが困難である。
【００４３】
このようなことから、両側端部にビードを有する長尺・帯状の薄板ガラス１００を、所定寸法の枚葉に切断（割断）する場合においては、前記両側端部を予め切断（割断）しておくことが考えられる。
そして、後述するように、本実施形態における搬送装置１においては、第二切断ゾーン１７の第二切断工程にて薄板ガラス１００を所定寸法の枚葉に切断（割断）する以前に、第一切断ゾーン１４の第一切断工程にて、切断（割断）後の品質向上を図りつつ、前記薄板ガラス１００の両側端部を予め切断（割断）することとしている。
【００４４】
次に、第一カテナリーゾーン１２について説明する。
第一カテナリーゾーン１２は、搬送装置１に供給され下降ゾーン１１を通過した薄板ガラス１００の、バッファー領域となるゾーンである。
【００４５】
第一カテナリーゾーン１２において、薄板ガラス１００は、搬送方向（長手方向）に沿って下方に湾曲するカテナリー形状となるように懸吊される。
つまり、薄板ガラス１００は、第一カテナリーゾーン１２を通過する際に、第一カテナリーゾーン１２の上流側端部および下流側端部にて懸吊され、カテナリー形状に変形および保持される。
【００４６】
このように、第一カテナリーゾーン１２は、後述する第一アーチ工程の直前の工程として、薄板ガラス１００を、長手方向に沿って下方に湾曲するカテナリー形状に変形および保持する、第一カテナリー工程が実施されるゾーンである。
これにより、例えば、第一カテナリーゾーン１２の上流側に位置する下降ゾーン１１において、流下する薄板ガラス１００の搬送速度が徐々に変動し、該薄板ガラス１００の単位時間当たりの流量が変化したとしても、第一カテナリーゾーン１２において、前記流量の変化に応じて薄板ガラス１００のカテナリー形状の下端部が上下動することにより、途中の薄板ガラス１００への応力の作用を抑制することができる。
即ち、薄板ガラス１００の単位時間当たりの流量の変動による影響を、第一カテナリーゾーン１２において吸収することができ、前記流量の変動による影響が、後述する下流側の第一アーチゾーン１３等にまで及ぶのを防止することができる。
【００４７】
また、例えば、下降ゾーン１１において、流下する薄板ガラス１００に蛇行が生じたとしても、第一カテナリーゾーン１２において、薄板ガラス１００のカテナリー形状に捻りが発生することにより、前記蛇行による影響を、前記第一カテナリーゾーン１２において吸収することができ、前記蛇行による影響が、後述する下流側の第一アーチゾーン１３等にまで及ぶのを防止することができる。
【００４８】
このように、第一カテナリーゾーン１２は、上流側の下降ゾーン１１と、下流側の第一アーチゾーン１３との間における単位時間当たりの流量の変動や蛇行などの、搬送状態の関係を断ち切るバッファー領域として設けられる。
【００４９】
次に、第一アーチゾーン１３について説明する。
第一アーチゾーン１３は、薄板ガラス１００のガラス面に発生した皺などを矯正しつつ、有効面（後に製品として使用される面）に触れることなく両側端部のみで搬送するためのゾーンである。
【００５０】
第一アーチゾーン１３には、第一保持装置３１が備えられる。
ここで、前記第一保持装置３１は、複数のボールキャスター３１ａ・３１ａ・・・を有している。ボールキャスター３１ａ・３１ａ・・・は、薄板ガラス１００の搬送方向（長手方向）に沿って上方に湾曲するアーチ形状に一列に配列されるとともに、前記アーチ形状の列が、薄板ガラス１００の幅方向（短手方向）に沿って互いに平行となる姿勢で複数列配列されるように配設される。
【００５１】
そして、第一アーチゾーン１３において、薄板ガラス１００は、第一保持装置３１によって下方から支持されている。これにより、薄板ガラス１００は、搬送方向（長手方向）に沿って上方に湾曲するアーチ形状に変形および保持されている。
つまり、薄板ガラス１００は、第一アーチゾーン１３を通過する際に、第一保持装置３１によって、アーチ形状に変形および保持される。
【００５２】
このように、第一アーチゾーン１３は、薄板ガラス１００の搬送経路上の所定位置において、薄板ガラス１００の搬送方向における途中部を、長手方向に沿って上方に湾曲するアーチ形状に変形および保持しながら搬送する、第一アーチ工程が実施されるゾーンである。
そして、第一アーチゾーン１３にてアーチ形状に変形されることにより、薄板ガラス１００の上側のガラス面には、搬送方向に沿った張力が加えられることとなり、該ガラス面に発生した皺などが効果的に矯正される。
また、第一アーチゾーン１３にてアーチ形状に保持されることにより、薄板ガラス１００の幅方向の撓みに対する剛性は一般的に向上するとともに、後述するように、搬送方向の撓みに対する剛性も向上することから、薄板ガラス１００のガラス面上における新たな撓みや皺の発生が抑制される。
こうして、薄板ガラス１００は、第一アーチゾーン１３の下流側において、前記ガラス面を平坦な状態にすることができる。
【００５３】
ところで、このようなアーチ形状に変形されることにより、薄板ガラス１００の幅方向における剛性は飛躍的に向上する。
即ち、水平状態に保持された薄板ガラス１００は、幅方向における剛性が低いため、例えば、自重等によって、幅方向の中央部に撓みを生じやすい。
これに対して、アーチ形状に保持された薄板ガラス１００は、幅方向における剛性が飛躍的に向上するため、例えば、自重や外部からの荷重などによっても幅方向の中央部に撓みを生じにくい。
なお、これらのことは、一般的に板状部材に比べて円筒部材等の方が、軸心方向への外力に対する剛性に優れていることからも明らかである。
【００５４】
一方、アーチ形状に保持されることにより、薄板ガラス１００の搬送方向における剛性も飛躍的に向上するが、それは、以下の理由によるものと考えられる。
即ち、図６（ａ）に示すように、水平状態に保持された薄板ガラス１００（以下、「薄板ガラス１００Ｘ」と記載する）において、例えば、垂直荷重Ｗが付加されると、該薄板ガラス１００Ｘの内部には、曲げ応力ｍが発生し、搬送方向に湾曲する撓みＸが発生する。
一方、図６（ｂ）に示すように、アーチ形状に保持された薄板ガラス１００（以下、「薄板ガラス１００Ｙ」と記載する）において、例えば、垂直荷重Ｗが付加されると、該薄板ガラス１００Ｙの内部には、圧縮応力ｐが発生し、該圧縮応力ｐが垂直荷重Ｗに抵抗するため撓みの発生が少なくなる。
このようなことから、撓みの発生を極力防ぎつつ保持可能な垂直荷重（耐荷重）Ｗの値は、水平状態の薄板ガラス１００Ｘに比べて、アーチ形状の薄板ガラス１００Ｙの方が大きいことから、アーチ形状に保持されることにより、薄板ガラス１００の搬送方向における剛性は向上すると言える。
【００５５】
このように、アーチ形状に保持された薄板ガラス１００Ｙにおいては、幅方向、および搬送方向における剛性が向上し、耐荷重も増加することから、不意に外部より加えられる、衝撃や振動などの外乱に対しても、十分に対抗することが可能となる。
なお、前記薄板ガラス１００Ｙの、幅方向、および搬送方向における剛性の程度は、アーチ形状の半径寸法に基づき決定される。
【００５６】
このような点を踏まえ、本実施形態においては、図１に示すように、第一アーチゾーン１３の下流側端部に第一繰出装置３２を配設し、該第一繰出装置３２によって、薄板ガラス１００の幅方向の両側端部のみを支持しつつ、薄板ガラス１００を、後述する第一切断ゾーン１４に向かって搬送することとしている。
【００５７】
具体的には、図２に示すように、第一繰出装置３２・３２は、薄板ガラス１００の幅方向の両側端部に配設される。
各第一繰出装置３２には、二本の繰出ローラー３２ａ・３２ｂが備えられる。
【００５８】
前記二本の繰出ローラー３２ａ・３２ｂは、薄板ガラス１００の幅方向の側端部を挟持するようにして、互いに対向して配置される。
また、前記二本の繰出ローラー３２ａ・３２ｂは、軸心を中心にして回転可能に支持されるとともに、一方の繰出ローラー３２ａには、図示せぬ駆動機構部が連結されている。
【００５９】
そして、前記駆動機構部より伝達される駆動力によって、繰出ローラー３２ａが回転駆動される。
これにより、薄板ガラス１００は、二本の繰出ローラー３２ａ・３２ｂによって、幅方向の各側端部を支持されつつ搬送方向に繰り出され、第一切断ゾーン１４（図１を参照）へと搬送される。
【００６０】
このように、本実施形態においては、薄板ガラス１００を搬送する際、薄板ガラス１００のガラス面全体を支持するのではなく、前記ガラス面の幅方向の両側端部のみを支持することとしている。
つまり、本実施形態においては、薄板ガラス１００を支持する箇所として、有効面つまり幅方向中央部のガラス面を避ける一方、最終的に破棄されるビードを含んだ左右両側端部を支持していることから、前記ガラス面に対する傷の発生や粉塵の付着などが避けられ、薄板ガラス１００の品質向上を図ることができるのである。
【００６１】
次に、第一切断ゾーン１４について説明する。
第一切断ゾーン１４は、薄板ガラス１００におけるビードを含んだ幅方向の両側端部を、搬送方向に沿って切断（割断）するためのゾーンである。
第一切断ゾーン１４の上流部において、薄板ガラス１００の幅方向の両側端部には、後述する切断手段としてのレーザー割断装置４１や、ガイド部材４２が配設される。
【００６２】
そして、第一切断ゾーン１４において、上流側の第一アーチゾーン１３（図１を参照）より第一繰出装置３２によって繰り出された薄板ガラス１００は、ガイド部材４２によって搬送方向を規制されつつ、斜め下方に向かって搬送される。
この際、薄板ガラス１００は、レーザー割断装置４１の直下を通過することにより、該レーザー割断装置４１によってレーザー割断される。
【００６３】
その結果、薄板ガラス１００は、レーザー割断装置４１によって形成された割断線１００ａを境にして、幅方向の中央部に位置し、後に製品として使用される有効面（以下、適宜「製品部薄板ガラス１００Ａ」と記載する）と、幅方向の両側端部に位置し、最終的に破棄されるビードを含んだ部分（以下、適宜「破棄部薄板ガラス１００Ｂ」と記載する）とに分断される。
【００６４】
そして、分断された製品部薄板ガラス１００Ａは、第一切断ゾーン１４の下流側端部、且つ製品部薄板ガラス１００Ａの幅方向の両側端部に配設される第二繰出装置４３・４３によって、後述する第二カテナリーゾーン１５（図１を参照）へと搬送される。
【００６５】
一方、分断された破棄部薄板ガラス１００Ｂは、例えば、ベルトコンベア４４および駆動ローラー４５などによって、強制的に斜め下方に向かって搬送され、その後、自重によって折り割りされ、スクラップとして破棄される。
つまり、第一切断ゾーン１４において、薄板ガラス１００の端部（幅方向の両側端部）は、切断されて該薄板ガラスの幅方向に分離され、分離された前記端部（より具体的には、破棄部薄板ガラス１００Ｂ）は粉砕されて、スクラップとして破棄される。
【００６６】
なお、破棄部薄板ガラス１００Ｂを折り割る際には、カッターによりスクライブを成形した後に折り割ってもよいし、スクライブを形成することなく折り割ってもよい。
また、破棄部薄板ガラス１００Ｂを折り割る際には、自重により折り割ってもよいし、棒状部材を押し当てる等して機械的に折り割ってもよい。
【００６７】
このように、第一切断ゾーン１４は、薄板ガラス１００の搬送経路上の所定位置において、薄板ガラス１００の所定箇所を、該薄板ガラス１００の搬送方向の下流側が下方に位置する傾斜姿勢（斜め下方に延出した状態）に保持しつつ搬送し、且つ該薄板ガラス１００の傾斜姿勢に保持した箇所を、レーザー割断装置４１によって前記搬送方向に沿って切断する第一切断工程が実施されるゾーンである。
つまり、第一切断ゾーン１４においては、後述するレーザー割断装置４１によるレーザー割断方法（切断方法）を用いて、薄板ガラス１００の幅方向の両端部（より具体的には、破棄部薄板ガラス１００Ｂ）を切断および分離することにより、前記薄板ガラス１００の中央部（より具体的には、製品部薄板ガラス１００Ａ）を得る第一切断工程が実施される。
換言すると、第一切断ゾーン１４において、薄板ガラス１００は、第一繰出装置３２によって繰り出された後、斜め下方に向かって搬送され、レーザー割断装置４１によって、幅方向の両側端部を割断される構成となっている。
【００６８】
よって、薄板ガラス１００は、第一繰出装置３２からレーザー割断装置４１の直前に渡って、斜め下方に延出した状態に保持されるため、自重による影響を受け難く、ガラス面における新たな撓みや皺の発生が抑制され、第一アーチゾーン１３によって矯正された、平坦な状態にガラス面が維持される。
従って、本実施形態における搬送装置１においては、このような平坦な状態にガラス面が維持された薄板ガラス１００に対して、レーザー割断を行うことができるため、割断後の薄板ガラス１００の品質向上を図ることができるのである。
【００６９】
また、前述したように、第一切断ゾーン１４の上流側に配設される、第一カテナリーゾーン１２や第一アーチゾーン１３（図１を参照）において、薄板ガラス１００は、カテナリー形状およびアーチ形状に、連続して保持されることにより、搬送方向に沿って、各々下方および上方に向かって湾曲されることとなる。
従って、第一切断ゾーン１４において、たとえ、レーザー割断装置４１によるレーザー割断に、切断ミスが発生したとしても、該切断ミスの悪影響（例えば、亀裂など）を、第一カテナリーゾーン１２や第一アーチゾーン１３にて堰き止めて、上流側の下降ゾーン１１（図１を参照）にまで伝達するのを防止することができる。
【００７０】
なお、本実施形態においては、第一切断ゾーン１４における、薄板ガラス１００の搬送姿勢を傾斜姿勢としているが、これに限定されず、例えば、搬送方向の下流側が下方に位置する垂直姿勢としてもよい。
また、第一カテナリーゾーン１２や第一アーチゾーン１３を形成しない構成としてもよい。
【００７１】
ところで、第二繰出装置４３は、前述した第一繰出装置３２と略同等に構成される。
即ち、第二繰出装置４３には、互いに対向して配置される二本の繰出ローラー４３ａ・４３ｂが備えられるとともに、一方の繰出ローラー４３ａには、図示せぬ駆動機構部が連結される。
【００７２】
そして、前記駆動機構部より伝達される駆動力によって、繰出ローラー４３ａが回転駆動される。
これにより、製品部薄板ガラス１００Ａは、二本の繰出ローラー４３ａ・４３ｂによって、幅方向の各側端部を支持されつつ搬送方向に繰り出され、第二カテナリーゾーン１５（図１を参照）へと搬送される。
【００７３】
なお、第二繰出装置４３によって繰り出された製品部薄板ガラス１００Ａは、第二カテナリーゾーン１５に搬送されることなく、直ちに巻回されて、ロール１００Ｃを形成することとしてもよい。
この場合、後述する第二カテナリーゾーン１５に代替して、薄板ガラスの中央部（より具体的には、製品部薄板ガラス１００Ａ）を所定の長さで巻取りおよび切断することによりロール（ガラスロール体）１００Ｃを得る巻取り切断工程が実施されるゾーンが、第一切断ゾーンの下流部に配設されることとなる。
【００７４】
次に、第二カテナリーゾーン１５について説明する。
第二カテナリーゾーン１５は、前述した第一切断ゾーン１４によって切断（割断）された製品部薄板ガラス１００Ａの、バッファー領域となるゾーンである。
【００７５】
第二カテナリーゾーン１５は、前述した第一カテナリーゾーン１２と略同等に構成される。
即ち、図１に示すように、第二カテナリーゾーン１５において、製品部薄板ガラス１００Ａは、搬送方向（長手方向）に沿って下方に湾曲するカテナリー形状となるように懸吊される。
つまり、製品部薄板ガラス１００Ａは、第二カテナリーゾーン１５を通過する際に、第二カテナリーゾーン１５の上流側端部および下流側端部にて懸吊されて、カテナリー形状に変形および保持される。
【００７６】
このように、第二カテナリーゾーン１５は、後述する第二アーチ工程の直前の工程として、製品部薄板ガラス１００Ａを、長手方向に沿って下方に湾曲するカテナリー形状に変形および保持する、第二カテナリー工程が実施されるゾーンである。
これにより、例えば、第二カテナリーゾーン１５の下流側に位置する第二切断ゾーン１７の第二切断工程によって製品部薄板ガラス１００Ａの搬送が停止し、または搬送速度が変動したとしても、カテナリー形状の下端部が上下動することにより、搬送途中の製品部薄板ガラス１００Ａへの応力の作用を抑制することができる。
【００７７】
また、例えば、第一切断ゾーン１４の下流側において、搬送途中の製品部薄板ガラス１００Ａに蛇行が生じたとしても、第二カテナリーゾーン１５において、製品部薄板ガラス１００Ａのカテナリー形状に捻りが発生することにより、前記蛇行による影響を、前記第二カテナリーゾーン１５において吸収することができる。
【００７８】
このように、第二カテナリーゾーン１５は、上流側の第一切断ゾーン１４と、下流側の第二アーチゾーン１６との間における搬送速度の変動や蛇行などの搬送状態の関係を断ち切るバッファー領域として設けられる。
【００７９】
そして、図２に示すように、第二カテナリーゾーン１５の下流側端部、且つ幅方向の両側端部には、前述した第二繰出装置４３・４３と同等な構成からなる第三繰出装置５１・５１が配設される。
これにより、製品部薄板ガラス１００Ａは、これらの第三繰出装置５１・５１によって、幅方向の各側端部を支持されつつ搬送方向に繰り出され、第二アーチゾーン１６（図１を参照）へと搬送される。
【００８０】
次に、第二アーチゾーン１６について説明する。
第二アーチゾーン１６は、後述する第二切断工程で発生する振動等の、前記第一切断工程への伝達を防止するためのゾーンである。
また、第二アーチゾーン１６は、製品部薄板ガラス１００Ａを持ち上げることによって、第二切断工程を設けるスペースを確保する機能も有する。
【００８１】
第二アーチゾーン１６は、前述した第一アーチゾーン１３と略同等に構成される。
即ち、図１に示すように、第二アーチゾーン１６には、前述した第一保持装置３１と略同等の構成からなる第二保持装置６１が備えられる。
【００８２】
そして、製品部薄板ガラス１００Ａは、第二アーチゾーン１６において、第二保持装置６１によって下方から支持されている。これにより、製品部薄板ガラス１００Ａは、搬送方向（長手方向）に沿って上方に湾曲するアーチ形状に変形および保持されている。
つまり、製品部薄板ガラス１００Ａは、第二アーチゾーン１６を通過する際に、第二保持装置６１によって、アーチ形状に変形および保持される。
【００８３】
このように、第二アーチゾーン１６は、製品部薄板ガラス１００Ａの搬送経路上の所定位置において、製品部薄板ガラス１００Ａの搬送方向における途中部を、長手方向に沿って上方に湾曲するアーチ形状に変形および保持しながら搬送する、第二アーチ工程が実施されるゾーンである。
そして、第二アーチゾーン１６にてアーチ形状に保持されることにより、製品部薄板ガラス１００Ａの幅方向の撓みに対する剛性は一般的に向上するとともに、前述したように、搬送方向の撓みに対する剛性も向上することから、製品部薄板ガラス１００Ａのガラス面上における新たな撓みや皺の発生が抑制される。
こうして、製品部薄板ガラス１００Ａは、第二アーチゾーン１６の下流側において、前記ガラス面を平坦な状態にすることができる。
【００８４】
このような点を踏まえ、本実施形態においては、図１に示すように、第二アーチゾーン１６の下流側端部に第四繰出装置６２を配設し、該第四繰出装置６２によって、製品部薄板ガラス１００Ａのガラス面の中央部を避ける一方、幅方向の両側端部のみを支持し、製品部薄板ガラス１００Ａを、後述する第二切断ゾーン１７に向かって搬送することとしている。
これにより、製品部薄板ガラス１００Ａのガラス面に対する傷の発生や粉塵の付着などが避けられ、製品部薄板ガラス１００Ａの品質向上を図ることができる。
【００８５】
具体的には、図２に示すように、第二アーチゾーン１６の下流側端部、且つ幅方向の両側端部には、前述した第二繰出装置４３・４３と同等な構成からなる第四繰出装置６２・６２が配設される。
これにより、製品部薄板ガラス１００Ａは、これらの第四繰出装置６２・６２によって、幅方向の各側端部を支持されつつ搬送方向に繰り出され、第二切断ゾーン１７（図１を参照）へと搬送される。
【００８６】
次に、第二切断ゾーン１７について説明する。
第二切断ゾーン１７は、製品部薄板ガラス１００Ａを、所定寸法の枚葉に切断（割断）して、薄板ガラス基板を得るためのゾーンである。
【００８７】
第二切断ゾーン１７の上流部には、図１に示すように、カッター割断装置７１が配設される。
前記カッター割断装置７１は、ホイール工具７１Ａを用いた割断装置であて、ホイール工具７１Ａを押し当てながら移動させてスクライブ線１００ｂ（図２を参照）を形成し、該スクライブ線１００ｂに沿って折り曲げることにより、製品部薄板ガラス１００Ａを割断する装置である。
【００８８】
なお、本実施形態においては、第二切断ゾーン１７における製品部薄板ガラス１００Ａの切断（割断）方法として、カッター割断装置７１によるカッター切断（割断）を採用するが、これに限定されるものではなく、例えば、従来から周知である、レーザー光によるレーザー切断（割断）を採用することとしてもよい。
【００８９】
カッター割断装置７１は、軸心を中心にして回転可能に支持されるホイール工具７１Ａや、製品部薄板ガラス１００Ａを保持する複数の保持手段７１Ｂ・７１Ｂ・・・などにより構成される。
なお、本実施形態においては、前記各保持手段７１Ｂとして、既知のチャッキング機構をもって構成することとしているが、これに限定されず、例えば吸着パッドなど、別の機構をもって構成することとしてもよい。
【００９０】
そして、図２に示すように、第二切断ゾーン１７の上流部において、ホイール工具７１Ａは、軸心方向を上下方向に向けて、製品部薄板ガラス１００Ａの幅方向、および該製品部薄板ガラス１００Ａとの近接離間方向に、それぞれ往復移動可能に配設される。
また、保持手段７１Ｂ・７１Ｂ・・・は、製品部薄板ガラス１００Ａの幅方向両側において、上下方向に所定の間隔を有して互いに配設されるとともに、製品部薄板ガラス１００Ａの側端部を各々挟持可能に配設される。
【００９１】
このような構成からなる第二切断ゾーン１７において、製品部薄板ガラス１００Ａは、第四繰出装置６２によって、前述した第二アーチゾーン１６より繰り出され、直下方向に向かって搬送される。
そして、製品部薄板ガラス１００Ａの搬送距離が、予め定められた所定の距離に到達すると、第四繰出装置６２は一旦停止する。
これにより、製品部薄板ガラス１００Ａは、第四繰出装置６２より所定の長手方向寸法分だけ繰り出された状態によって、吊設される。
【００９２】
第四繰出装置６２が停止すると、製品部薄板ガラス１００Ａは、保持手段７１Ｂ・７１Ｂ・・・によって両側端部を挟持され、垂直状態に保持される。
その後、ホイール工具７１Ａの押圧動作によって、製品部薄板ガラス１００Ａの上流側に、幅方向に延出する一直線状のスクライブ線１００ｂが形成される。
【００９３】
製品部薄板ガラス１００Ａにスクライブ線１００ｂが形成されると、保持手段７１Ｂ・７１Ｂ・・・は、互いに同調しながら、所定の方向（例えば、本実施形態においては、製品部薄板ガラス１００Ａの厚み方向）に僅かに移動を開始する。
これにより、製品部薄板ガラス１００Ａは、スクライブ線１００ｂに沿って折り曲げられ、所定寸法の枚葉に切断（割断）され、薄板ガラス基板が得られるのである。
【００９４】
その後、製品部薄板ガラス１００Ａの切断（割断）が終了すると、再び、第四繰出装置６２が駆動され、製品部薄板ガラス１００Ａの搬送および切断（割断）が繰返される。
【００９５】
このように、第二切断ゾーン１７は、薄板ガラス１００の搬送経路上の最下流側の位置において、カッター割断装置７１によって、製品部薄板ガラス１００Ａを所定寸法の枚葉に切断（割断）する第二切断工程が実施されるゾーンである。
つまり、第二切断ゾーン１７においては、カッター割断装置７１による割断方法（切断方法）を用いて、薄板ガラス１００の中央部（より具体的には、製品部薄板ガラス１００Ａ）を幅方向に切断して、所定寸法の枚葉からなる薄板ガラス基板を得る切断工程が実施される。
換言すると、第二切断ゾーン１７において、製品部薄板ガラス１００Ａは、第四繰出装置６２によって繰り出されつつ直下方向に搬送された後、垂直状態に保持され、カッター割断装置７１によって、所定寸法の枚葉に切断（割断）される構成となっている。
【００９６】
よって、製品部薄板ガラス１００Ａは、自重による影響を受け難く、ガラス面に新たな皺など発生することが殆どないばかりか、前記第二アーチゾーン１６（図１を参照）によって矯正された、きれいな状態にガラス面が維持される。
従って、本実施形態における搬送装置１においては、このようなきれいな状態にガラス面が維持された製品部薄板ガラス１００Ａに対して、スクライブによる割断を行うことができるため、割断後の製品部薄板ガラス１００の品質向上を図ることができるのである。
【００９７】
なお、第二切断ゾーン１７において、第四繰出装置６２を停止させて、製品部薄板ガラス１００Ａの切断（割断）を行う際は、第二アーチゾーン１６における製品部薄板ガラス１００Ａの弛みの発生を防止するために、第三繰出装置５１も、あわせて停止させる。
この際、第二繰出装置４３は、依然として駆動状態にあり、製品部薄板ガラス１００Ａが、第一切断ゾーン１４より継続して繰り出される。
【００９８】
ここで、第二カテナリーゾーン１５において、カテナリー形状にある製品部薄板ガラス１００Ａの下端部の位置が下降することにより、新たに第一切断ゾーン１４より繰り出された分の製品部薄板ガラス１００Ａを、第二カテナリーゾーン１５にて吸収することができるため、第三繰出装置５１および第四繰出装置６２を停止させたことによる影響が、第一切断ゾーン１４を含む上流側の各ゾーン１１・１２・１３にまで及ぶのを防止することができる。
換言すると、第二カテナリーゾーン１５において、第一切断ゾーン１４より繰り出される製品部薄板ガラス１００Ａを、一時的に留めることによって、上流側の各ゾーン１１・１２・１３・１４における稼動を停止させることなく、第二切断ゾーン１７にて、製品部薄板ガラス１００Ａを停止させて、所定寸法の枚葉に切断（割断）することが可能になる。
【００９９】
また、前述したように、第二切断ゾーン１７の上流側に配設される、第二カテナリーゾーン１５や第二アーチゾーン１６（図１を参照）において、製品部薄板ガラス１００Ａは、カテナリー形状およびアーチ形状に、連続して保持されるところ、この際、製品部薄板ガラス１００Ａは、搬送方向に沿って、各々下方および上方に向かって湾曲される。
従って、第二切断ゾーン１７において、たとえ、カッター割断装置７１による切断（割断）によって振動が発生したとしても、該振動の悪影響（例えば、共鳴など）を、第二カテナリーゾーン１５や第二アーチゾーン１６を介して堰き止められることとなり、上流側の第一切断ゾーン１４（図１を参照）にまで伝達するのを防止することができる。
【０１００】
［レーザー割断装置４１］
次に、レーザー割断装置４１の構成について、図３を用いて説明する。
なお、以下の説明においては便宜上、図３（ａ）の上下方向を、レーザー割断装置４１を備えた搬送装置１の上下方向と規定して記述する。
また、図３（ａ）（ｂ）においては、矢印Ａの方向を薄板ガラス１００の搬送方向と規定して記述する。
【０１０１】
レーザー割断装置４１は、レーザー光線を利用した割断装置であって、レーザー光線の照射によって熱応力を発生させた直後に、該熱応力の発生箇所を急激に冷却して亀裂を発生させることにより、薄板ガラス１００を割断する装置である。
【０１０２】
ここで、レーザー割断装置４１によるレーザー割断方法のメカニズムについて説明する。
図３（ａ）に示すように、レーザー割断装置４１には、図示せぬレーザー光線照射手段が内装されており、搬送途中の薄板ガラス１００の切断予定線（より具体的には、後に割断線１００ａ（図３（ｂ）を参照）が形成される予定の線）上において、前記薄板ガラス１００の該当箇所が所望の温度となるように、前記レーザー光線照射手段によってレーザー光線Ｌが継続的に照射される。
これにより、図３（ｂ）に示すように、薄板ガラス１００の幅方向の側端部には、レーザー光線Ｌによるビーム痕Ｃ・Ｃ・・・が、該薄板ガラス１００の搬送方向に沿って直線状に複数形成される。
【０１０３】
ここで、薄板ガラス１００の表面は、ビーム痕Ｃの形成によって溶融または破壊しない程度に局部的に加熱されて膨張しようとするが、前記ビーム痕Ｃの周囲の加熱されていない領域によって、前記膨張は拘束される。
その結果、薄板ガラス１００の表面のビーム照射部には、強い圧縮応力ｑが作用する。
【０１０４】
一方、ビーム痕Ｃを介して薄板ガラス１００の表面上に加えられた熱量は、時間の経過とともに薄板ガラス１００の幅方向、および内部へと徐々に伝導される。
【０１０５】
そして、図３（ａ）に示すように、レーザー割断装置４１には、図示せぬ冷媒照射手段が内装されており、該冷媒照射手段によって、例えば水などからなる冷媒Ｒが、レーザー光線Ｌの照射終了位置Ｃａより搬送方向下流側に向かって寸法ｘだけ離間した位置Ｊに、局部的に照射されることにより、薄板ガラス１００の表面のビーム照射部は冷却される。
その結果、薄板ガラス１００の表面温度は急激に下降する一方、該薄板ガラス１００の内部温度が高温のままとなり、前記薄板ガラス１００の厚み方向に向かって、温度勾配が形成される。
【０１０６】
こうして、前記温度勾配が形成されることにより、薄板ガラス１００の表面には、図３（ｂ）に示すような引張応力ｔが作用することとなる。
そして、前記温度勾配の形成が、薄板ガラス１００の表面から内部の深層にまで進むにつれて、該薄板ガラス１００の表面に作用する引張応力ｔも益々強くなる。ここで、予めカッターなどでレーザー照射位置の上流側にて亀裂を入れておくことにより、薄板ガラス１００の破壊靭性値を超えて、亀裂ｋが進行していく。
この亀裂ｋが割断線１００ａ（図２を参照）となって、薄板ガラス１００を分断すると考えられている。
【０１０７】
以上のように、第一切断ゾーン１４（図１を参照）に配設される、切断手段としてのレーザー割断装置４１は、薄板ガラス１００の切断予定線上にレーザー光線Ｌを照射するとともに、前記レーザー光線Ｌの照射位置よりも前記搬送方向下流側の位置において、前記レーザー光線Ｌが照射されて加熱された箇所を冷却することにより、薄板ガラス１００の割断を行う構成となっている。
この際、従来のように、例えば熱伝導性に優れた金属などからなる保持部材を用いて、薄板ガラス１００の背面（レーザー割断装置４１側との対向側の面）を保持することとすれば、レーザー光線Ｌによる熱量の殆どが、前記薄板ガラス１００を通過して前記保持部材に吸収されることとなる。
よって、必要な温度勾配が薄板ガラス１００に形成され難く、該薄板ガラス１００に対して十分なレーザー割断を行うことは、困難であった。
【０１０８】
これに対して、本実施形態における搬送装置１においては、前述したように、例えば第一繰出装置３２・３２によって、薄板ガラス１００の幅方向の両側端部のみを支持する構成となっている。
換言すると、少なくともレーザー割断装置４１によるレーザー照射位置の周辺に、接触物を設けることなく薄板ガラス１００を保持することが可能であり、レーザー光線Ｌが照射される箇所において前記薄板ガラス１００を支持することなく、前記薄板ガラス１００を安定的に搬送および切断することができる。
【０１０９】
また、レーザー割断装置４１によるレーザー照射位置の周辺には、薄板ガラス１００以外の物が存在しないため、該薄板ガラス１００の前記背面近傍の損傷など気にすることなく、十分な高出力をもって前記レーザー光線Ｌを照射することが可能となる。
【０１１０】
さらに、本実施形態における搬送装置１においては、第一切断ゾーン１４（図１を参照）にて、レーザー割断装置４１によるレーザー割断を行うところ、前述したように、割断される薄板ガラス１００は、斜め下方に延出した状態に保持されるため、水平状態に保持された場合のように、不意に冷媒Ｒがビーム痕Ｃに及ぶことも少なく、レーザー光線Ｌが照射される箇所の加熱障害を防止することができる。
【０１１１】
［ガイド部材４２］
次に、ガイド部材４２の構成について、図１、図３、図４、および図５を用いて説明する。
なお、以下の説明においては便宜上、図４、および図５の上下方向を、ガイド部材４２を備えた搬送装置１の上下方向と規定して記述する。
また、図５においては、矢印Ａの方向を薄板ガラス１００の搬送方向と規定して記述する。
【０１１２】
ガイド部材４２は、レーザー割断装置４１によって薄板ガラス１００を割断する際、該薄板ガラス１００の姿勢を保持して、該薄板ガラス１００に発生する振動を極力抑えることにより、高品質な切断面（割断面）を確保するための部材である。
具体的には、図１において、第一切断ゾーン１４を通過する際の薄板ガラス１００には、例えば、第一繰出装置３２（または、第二繰出装置４３）や、第一切断ゾーン１４の上流側（より具体的には、第一アーチゾーン１３）または下流側（より具体的には、第二カテナリーゾーン１５）にて各々実施される第一アーチ工程または第二カテナリー工程などの影響により、振動が発生する場合がある。
よって、このような振動を確実に抑えることができれば、第一切断ゾーン１４において、高品質な切断面（割断面）を確保しつつ、レーザー割断装置４１によって薄板ガラス１００にレーザー割断を行うことが可能となる。
【０１１３】
ここで、本実施形態における搬送装置１によって行われる各切断工程（第一切断工程および第二切断工程）は、何れもさらに後の工程によって所定の製品寸法に切断するための粗切工程であり、第一切断ゾーン１４における薄板ガラス１００においては、例えば、支持部材などの他の部材が任意に接触可能な領域（より具体的には、割断線１００ａの近傍、およびビードを含む両側端部）が存在する。
【０１１４】
そこで、本実施形態においては、第一切断ゾーン１４における薄板ガラス１００が、斜め下方に延出した状態によって保持されることから、例えば、水平状態に保持される場合のような、薄板ガラス１００のガラス面全体を支持する必要もなく、前述した、他の部材が任意に接触可能な領域を利用して、ガイド部材４２によって、確実に薄板ガラスを保持することとしている。
【０１１５】
その結果、薄板ガラス１００に発生し得る振動は、ガイド部材４２によって効果的に抑制されることから、本実施形態における搬送装置１によれば、高品質な切断面（割断面）を確保しつつ、レーザー割断装置４１によって、薄板ガラス１００にレーザー割断を行うことが可能なのである。
【０１１６】
ガイド部材４２は、図３（ａ）および図３（ｂ）に示すように、例えば矩形状の板状部材によって形成される。
なお、ガイド部材４２は、薄板ガラス１００と接触する表面が滑らに、また該薄板ガラス１００に傷を付けにくい材質を用いて形成されることが望ましい。
【０１１７】
そして、薄板ガラス１００の幅方向の各側端部には、複数本（本実施形態においては、四本）のガイド部材４２・４２・４２・４２が、前記薄板ガラス１００の搬送方向に沿って斜め下方に延出しつつ、第一繰出装置３２の下流側近傍に配設される。
また、薄板ガラス１００の各側端部の背面側（下面側）、且つ第一繰出装置３２の下流側近傍には、前述したベルトコンベア４４の従動軸４４ａ（図３（ａ）を参照）が配置されており、ビードへの応力の発生等を考慮して、前記側端部の背面側を、前記ベルトコンベア４４の搬送側ベルトを介して、極力広い面積によって支持することとしている。
【０１１８】
このように、これらのガイド部材４２・４２・４２・４２は、二本一組として二組備えられ、各組における二本のガイド部材４２・４２は、間に薄板ガラス１００を挟みつつ、互いに対向するようにして上下に配設される。
具体的には、一方の組のガイド部材４２・４２（以下、適宜「内側ガイド部材４２Ａ・４２Ａ」と記載する）は、薄板ガラス１００の幅方向における割断線１００ａよりも内側に配置され、薄板ガラス１００（より具体的には、製品部薄板ガラス１００Ａ）を間に挟みつつ、上下方向に互いに対向して配置される。
また、他方のガイド部材４２・４２（以下、適宜「外側ガイド部材４２Ｂ・４２Ｂ」と記載する）は、薄板ガラス１００の幅方向における割断線１００ａよりも外側に配置されるとともに、前記薄板ガラス１００の下方に位置する外側ガイド部材４２Ｂが、ベルトコンベア４４の搬送側ベルトの下方に配置され、薄板ガラス１００（より具体的には、破棄部薄板ガラス１００Ｂ）および前記搬送側ベルトを同時に間に挟みつつ、上下方向に互いに対向して配置される。
【０１１９】
そして、図３（ｂ）に示すように、薄板ガラス１００の表面側（レーザー割断装置４１が配設される側）においては、内側ガイド部材４２Ａおよび外側ガイド部材４２Ｂが、割断線１００ａを間に挟みつつ、互いに平行、且つ該割断線１００ａに沿って配設される。
この際、内側ガイド部材４２Ａおよび外側ガイド部材４２Ｂの幅寸法ａは、各々１５［ｍｍ］程度であって、前記内側ガイド部材４２Ａおよび外側ガイド部材４２Ｂ間の離間寸法ｂは、レーザー光線Ｌおよび冷媒Ｒの照射範囲を考慮して、割断線１００ａを中心にして薄板ガラス１００の幅方向にそれぞれ５［ｍｍ］（合計１０［ｍｍ］）程度となるように設定されている。
【０１２０】
一方、薄板ガラス１００の背面側（レーザー割断装置４１が配設される側との対向側）においても、内側ガイド部材４２Ａおよび外側ガイド部材４２Ｂが、割断線１００ａを間に挟みつつ、互いに平行、且つ該割断線１００ａに沿って配設される。
【０１２１】
このように、薄板ガラス１００の幅方向における割断線１００ａよりも内側においては、内側ガイド部材４２Ａ・４２Ａが薄板ガラス１００を間隙に挟んだ状態で対向して配置され、薄板ガラス１００の幅方向における割断線１００ａよりも外側においては、外側ガイド部材４２Ｂ・４２Ｂが薄板ガラス１００およびベルトコンベア４４の搬送側ベルトを間隙に挟んだ状態で対向して配置されている。
この際、前記間隙の寸法については、例えば、０．１［ｍｍ］の厚み寸法からなる薄板ガラス１００に対して、０．４［ｍｍ］程度に設定されている。
【０１２２】
なお、本実施形態における複数のガイド部材４２・４２・・・の配置構成としては、割断線１００ａに対して、薄板ガラス１００の幅方向の中央部側（内側）に位置する二本一組の内側ガイド部材４２Ａ・４２Ａと、前記幅方向の側端部側（外側）に位置する二本一組の外側ガイド部材４２Ｂ・４２Ｂとをもって構成することとしているが、薄板ガラス１００の姿勢を安定できればこれに限定されることはない。
【０１２３】
以上のように、本実施形態における搬送装置１の第一切断ゾーン１４において、薄板ガラス１００は、レーザー割断装置（切断手段）４１により、該薄板ガラス１００の搬送方向（長手方向）に沿って直線状に切断されて割断線１００ａを形成し、少なくとも、該割断線（切断箇所）１００ａにおける前記薄板ガラス１００の幅方向中央部側に、前記割断線（切断箇所）１００ａに隣接して、前記薄板ガラス１００の搬送方向（長手方向）に沿って延出する内側ガイド部材（第一ガイド部材）４２Ａ・４２Ａが配置される。
そして、これらの内側ガイド部材（第一ガイド部材）４２Ａ・４２Ａは、薄板ガラス１００の厚み方向における一側（例えば、表面側）と他側（例えば、背面側）に、前記薄板ガラス１００を挟んで配置される一対のガイド部材として構成される。
【０１２４】
また、第一切断ゾーン１４において、割断線（切断箇所）１００ａにおける薄板ガラス１００の幅方向側端部側には、該割断線（切断箇所）１００ａに隣接して、前記薄板ガラス１００の搬送方向（長手方向）に沿って延出する外側ガイド部材（第二ガイド部材）４２Ｂ・４２Ｂが配置される。
そして、これらの外側ガイド部材（第二ガイド部材）４２Ｂ・４２Ｂは、薄板ガラス１００の厚み方向における一側（例えば、表面側）と他側（例えば、背面側）に、前記薄板ガラス１００およびベルトコンベア４４の搬送側ベルトを挟んで配置される一対のガイド部材として構成される。
【０１２５】
このような構成からなる、複数のガイド部材４２・４２・４２・４２（より具体的には、内側ガイド部材４２Ａ・４２Ａおよび外側ガイド部材４２Ｂ・４２Ｂ）を用いることによって、第一切断ゾーン１４を通過する際の薄板ガラス１００の振動を、極力抑制することが可能であることが確認されている。
【０１２６】
ところで、図４に示すように、ガイド部材４２の配置構成に関する第一の別実施形態として、前述した二本一組の外側ガイド部材４２Ｂ・４２Ｂを、薄板ガラス１００に対して幾分傾倒するように配置した構成としてもよい。
【０１２７】
具体的には、前述した二本一組の内側ガイド部材４２Ａ・４２Ａは、薄板ガラス１００に対して平行に配設されており、二本一組の外側ガイド部材４２Ｂ・４２Ｂは、薄板ガラス１００の幅方向の断面視において、その下面が薄板ガラス１００の幅方向の中央部側に向く方向へ傾斜するように配設される。
換言すると、それぞれ二枚一組の、内側ガイド部材（第一ガイド部材）４２Ａ・４２Ａおよび外側ガイド部材（第二ガイド部材）４２Ｂ・４２Ｂは、薄板ガラス１００の主面（より具体的には、薄板ガラス１００の表面および背面）と対向する対向面を有し、前記外側ガイド部材（第二ガイド部材）４２Ｂ・４２Ｂの対向面が、前記薄板ガラス１００を幅方向に断面視した場合に、前記内側ガイド部材（第一ガイド部材）４２Ａ・４２Ａの対向面に対して傾斜する構成となっている。
【０１２８】
このようなガイド部材４２の配置構成とすることにより、薄板ガラス１００がガイド部材４２の部分を通過する際に、外側ガイド部材（第二ガイド部材）４２Ｂ・４２Ｂの間に配置される薄板ガラス１００が、内側ガイド部材（第一ガイド部材）４２Ａ・４２Ａの間に配置される薄板ガラス１００に対して屈曲され、薄板ガラス１００の割断線１００ａ（図３（ｂ）を参照）上に適切な応力を発生させることが可能となり、レーザー割断装置４１によるレーザー割断の安定化を図ることができる。
【０１２９】
具体的には、通常、熱応力を利用したレーザー割断においては、先ず始めに初亀裂を形成することが必要であり、該初亀裂は、例えば、ダイヤモンドカッターなどの加工手段によって形成される。
そして、本実施形態に示すような、長尺・帯状の薄板ガラス１００に対して、レーザー割断を行う場合、連続する薄板ガラス１００の途中部より初亀裂を容易に発生させることができれば、作業効率の向上化を図ることができる。
【０１３０】
ここで、例えば、薄板ガラス１００の長手方向端部を起点としてレーザー割断を行うのであれば、前記加工手段をもって容易に初亀裂を形成し、前記薄板ガラス１００にレーザー割断を行うことが可能である。
これに対して、本実施形態に示すような、薄板ガラス１００の途中部を起点としてレーザー割断を行うのであれば、閉じられた領域内にて前記加工手段を突きたてて初亀裂を形成したうえで、前記薄板ガラス１００にレーザー割断を行うことが必要となる。
【０１３１】
そこで、本実施形態においては、前述したように、二本の外側ガイド部材４２Ｂ・４２Ｂを内側ガイド部材４２Ａ・４２Ａに対して傾倒させて配置し、該薄板ガラス１００の割断線１００ａ上に適切な応力を常に発生させることとしている。
これにより、たとえ薄板ガラス１００の途中部であっても、割断線１００ａ上であれば、容易に初亀裂から亀裂を屈曲部に沿って安定して進展させることができ、前記薄板ガラス１００にレーザー割断を行う際の作業効率を向上することができるのである。
【０１３２】
なお、割断線１００ａ上に発生させる応力が必要以上に大きな値になると、レーザー割断装置４１の熱応力によって亀裂が進展するより先に、前記応力の影響のみによって亀裂が進展する。よって、前記応力が適切な値となるように、外側ガイド部材４２Ｂ・４２Ｂの傾倒具合を設定することが好ましい。
本実施形態においては、例えば、各外側ガイド部材４２Ｂの幅方向における、折り曲げ寸法（図４における寸法ｈ）が、０．１〜０．３［ｍｍ］程度に設定されることにより、レーザー割断装置４１によるレーザー割断が確実に実行されることが確認されている。
【０１３３】
ところで、図５に示すように、ガイド部材４２の配置構成に関する第二の別実施形態として、二本の外側ガイド部材４２Ｂ・４２Ｂが、薄板ガラス１００の搬送方向の下流側に向かうにつれて、二本の内側ガイド部材４２Ａ・４２Ａに対してガラス分離点（製品部薄板ガラス１００Ａと破棄部薄板ガラス１００Ｂとの分離の開始点）より徐々に上下方向に離間するような姿勢に配置される構成としてもよい。
つまり、それぞれ二枚一組の、内側ガイド部材（第一ガイド部材）４２Ａ・４２Ａおよび外側ガイド部材（第二ガイド部材）４２Ｂ・４２Ｂを、薄板ガラス１００の搬送方向の下流側に向かうにつれて、互いに該薄板ガラス１００の厚み方向へ離間するように配置するのである。
換言すると、第一切断ゾーン１４においては、薄板ガラス１００の中央部（より具体的には、製品部薄板ガラス１００Ａ）と、端部（より具体的には、破棄部薄板ガラス１００Ｂ）とが、これら複数のガイド部材４２・４２・４２・４２（より具体的には、内側ガイド部材４２Ａ・４２Ａおよび外側ガイド部材４２Ｂ・４２Ｂ）によって、互いに前記薄板ガラス１００の厚み方向へ離間するように搬送される。
【０１３４】
このようなガイド部材４２の配置構成とすることにより、レーザー割断後における、製品部薄板ガラス１００Ａと破棄部薄板ガラス１００Ｂとの割断部分における側端部同士の接触を防いで、製品部薄板ガラス１００Ａの側端部にクラックが発生することを効果的に防止することができる。
【０１３５】
なお、本実施形態において、ガイド部材４２の周囲に十分な設置空間が確保可能であれば、該ガイド部材４２の代替品として、例えばベルトなどの無端状部材を全てのガイドに用いてもよく、この場合、隙間無く薄板ガラス１００を挟持することが可能となる。
【符号の説明】
【０１３６】
１４    第一切断ゾーン
４１    レーザー割断装置（切断手段）
４２    ガイド部材
４２Ａ    内側ガイド部材（第一ガイド部材）
４２Ｂ    外側ガイド部材（第二ガイド部材）
１００    薄板ガラス
１００Ａ    製品部薄板ガラス
１００Ｂ    破棄部薄板ガラス
１００Ｃ    ロール（ガラスロール体）
１００ａ    割断線（切断箇所）
Ｃ    ビーム痕
Ｃａ    位置
Ｌ    レーザー光線
Ｒ    冷媒
Ｊ    位置
【図１】
2015044713.tif 000003
【図２】
2015044713.tif 000004
【図３】
2015044713.tif 000005
【図４】
2015044713.tif 000006
【図５】
2015044713.tif 000007
【図６】
2015044713.tif 000008